(57)【要約】【課題】分針等を用いなくとも時針のみで分単位まで正確に時刻を表示することのできる、新規かつ有用な指針式の時計を提供すること。【解決手段】この時計Ｗは、根元部８ａから先端部８ｂへと長く延びる時針８、及び文字盤６を有し、かつ、時針８と文字盤６との相対移動により時刻表示を行う指針式の時計であって、文字盤６は、根元部８ａに近い側から先端部８ｂに近い側へと長く延びるように等間隔に複数配置されて時針８と交差する補助線Ｂを有し、時針８と補助線Ｂとの交差位置Ｐ２が、時間の経過と共に根元部８ａ側から先端部８ｂ側へと、又は先端部８ｂ側から根元部８ａ側へと移動するように構成される。【選択図】図２
2011191280.tif 000002
【特許請求の範囲】
【請求項１】
第１根元部から第１先端部へと長く延びる時針、及び文字盤を有し、かつ、前記時針と該文字盤との相対移動により時刻表示を行う指針式の時計であって、
前記文字盤は、
前記第１根元部に近い側から前記第１先端部に近い側へと長く延びるように等間隔に複数配置されて前記時針と交差する補助表示部を有し、
前記時針と前記補助表示部との交差位置が、時間の経過と共に前記第１根元部側から前記第１先端部側へと、又は前記第１先端部側から前記第１根元部側へと移動するように構成される時計。
【請求項２】
前記補助表示部が、
前記第１根元部と前記第１先端部との間の前記第１根元部側に位置する第２根元部から前記時間表示部近傍に位置する第２先端部へ向けて長く延びて形成され、かつ、
特定の補助表示部の第２根元部と前記時針とが交差を終了した直後に該特定の補助表示部に隣接する補助表示部の第２先端部と前記時針とが交差を開始するか、又は、
前記特定の補助表示部の第２先端部と前記時針とが交差を終了した直後に該特定の補助表示部に隣接する補助表示部の第２根元部と前記時針とが交差を開始する請求項１に記載の時計。
【請求項３】
前記文字盤が平面であり、かつ、
前記時針が、前記第１根元部近傍における中心軸を回転中心として前記文字盤上を回転移動することにより前記相対移動が実現される請求項１又は請求項２に記載の時計。
【請求項４】
前記文字盤が、所定平面内に画定される閉曲線に沿った方向と、前記所定平面の法線に沿った方向と、に延びる面上に形成され、
前記時針が、前記文字盤近傍に配置されて略前記法線方向に延び、かつ、
前記文字盤が前記閉曲線に沿った循環回転をすることにより、又は前記時針が前記閉曲線に沿った方向に移動することにより前記相対移動が実現される請求項１又は請求項２に記載の時計。
【発明の詳細な説明】
【技術分野】
【０００１】
本発明は、時計に係り、特に、分針を用いることなく分単位まで正確に時刻を表示することのできる指針式の時計に関する。本発明は、腕時計、置時計、壁掛け時計等、機械的な動きを伴ういわゆるアナログ時計だけでなく、グラフィカルな表示部をもつ電子回路で駆動される時計を含む、あらゆる指針式時計に適用することが可能である。
【背景技術】
【０００２】
従来より、指針式の時計が知られている。一般に、指針式の時計は、文字盤と時針と分針とを有している（例えば、特許文献１を参照。）。そして、文字盤上で各指針が回転し、時・分を表示するのである。文字盤の外周には、等間隔で１〜１２の数字が”１時間間隔で”表示されており、各数字間には、４つの目盛りが”１分間隔で”刻まれている。時針がどの数字を指しているか、分針がどの数字又は目盛りを指しているかにより、現在時刻が何時（以下、これを”時間時刻”と呼ぶ。）何分（以下、これを”分時刻”と呼ぶ。）であるかを知ることができるようになっている。
【０００３】
また、円筒形状の側面を文字盤とする時計も提案されている（例えば、特許文献２を参照。）この構成によれば、円筒側面に数字が表示され、円筒がその中心軸を回転中心として回転することにより、現在時刻が読み取れるようになっている。特許文献２においては、時針、分針が開示されていないが、実質的には短針用円筒３、長針用円筒２及び指標７が時針及び分針として機能している。
【先行技術文献】
【特許文献】
【０００４】
【特許文献１】特開平５−１７２９５４号公報
【特許文献２】実用新案登録第３０７８３３４号公報
【発明の概要】
【発明が解決しようとする課題】
【０００５】
しかしながら、上記特許文献１に記載のものは、分時刻を表示するために分針を用いている。また、特許文献２においても、分時刻を表示するために分針に相当する長針用円筒２及び指標７を用いている。したがって、分時刻の表示のために、別途わざわざ駆動や伝達のための機構や構造を構成する必要があり、コストの増大や部品点数の増大、ひいては組立て作業の煩雑化を招いている。
【０００６】
また、時間時刻については時針の位置から読み取り、分時刻については分針の位置から読み取らなければならず、分単位までの正確な時刻を読み取るためには、別々の位置で指し示された時刻を両方読み取る必要がある。特に特許文献２に開示のものにおいては、時間時刻を示す長針用円筒２と分時刻を示す短針用円筒３とが上下二段で構成され、各々別の指標７が示す位置を読み取る必要がある。
【０００７】
したがって、分時刻の表示のための構造等を別途構成しなくても、分時刻を正確に表示することのできる時計に関する提案が待望されている。また、そのような時計が、従来にない新たな興趣を使用者に与えるものであれば、より一層好ましい。
【０００８】
本発明は、上記の事情に鑑みて為されたもので、分針等を用いなくとも時針のみで分単位まで正確に時刻を表示することのできる、新規かつ有用な指針式の時計を提供することを例示的課題とする。
【課題を解決するための手段】
【０００９】
上記の課題を解決するために、本発明の例示的側面としての時計は、第１根元部から第１先端部へと長く延びる時針、及び文字盤を有し、かつ、時針と文字盤との相対移動により時刻表示を行う指針式の時計であって、文字盤は、第１根元部に近い側から第１先端部に近い側へと長く延びるように等間隔に複数配置されて時針と交差する補助表示部を有し、時針と補助表示部との交差位置が、時間の経過と共に第１根元部側から第１先端部側へと、又は第１先端部側から第１根元部側へと移動するように構成される。
【００１０】
”時針”とは、時計における”短針”を意味する。”時計と文字盤との相対移動”は、いずれか一方又は双方が移動することを意味し、いずれが移動するかを特定しない。また、文字盤は、複数の補助表示部に各々対応して等間隔に複数配置される”時間表示部”を更に有していてもよい。”時間表示部”は、典型的には１〜１２までの数字又は１〜２４までの数字であって、１２時間又は２４時間に対応する時間時刻を表すものである。もちろん数字に限定されず、マークやシンボル、キャラクターであってもよいし、一部が数字であって一部がマーク等であってもよい。”補助表示部”は、典型的には文字盤上に表示された目盛り線である。この補助表示部は直線の場合も曲線の場合もジグザグ状の線である場合もある。
【００１１】
時針と補助表示部とが交差し、その交差位置が時間の経過と共に時針の延伸方向に沿って移動するので、交差位置によって分時刻を容易かつ正確に読み取ることができる。交差位置の移動距離が長いので、分時刻表示の分解能を高くすることができ、正確な分時刻表示を実現することができる。分時刻表示は、補助表示部上の目盛り又は時針上に設けられた補助目盛りを用いることにより、一層正確に実現することができる。
【００１２】
分時刻の表示のために、分針等の構造を必要としないので、コスト低減、部品点数削減、組立工数低減を実現することができる。分針等の駆動構造がないので、時計全体としての構造をシンプルにすることができ、信頼性向上（故障率低減や装置寿命の向上）を図ることもできる。
【００１３】
しかも、時針の位置だけで時間時刻と分時刻の両方を正確に読み取ることができるので、正確かつ迅速な時間把握が可能となる。時針と分針によって異なる位置で示された２つの時刻を両方読み取る必要がない。もちろん、時針と分針でなく、複数の時針を配置することにより、世界時計を実現することもできる。この場合、複数の時針は、各々異なる地域（国）の異なる時間に対応するように配置される。
【００１４】
補助表示部が、第１根元部と第１先端部との間の第１根元部側に位置する第２根元部から時間表示部近傍に位置する第２先端部へ向けて長く延びて形成され、かつ、特定の補助表示部の第２根元部と時針とが交差を終了した直後に特定の補助表示部に隣接する補助表示部の第２先端部と時針とが交差を開始するか、又は、特定の補助表示部の第２先端部と時針とが交差を終了した直後に特定の補助表示部に隣接する補助表示部の第２根元部と時針とが交差を開始してもよい。
【００１５】
補助表示部が延伸形成されているので、両者が交差する交差位置の移動距離を一層長くとることができる。したがって、分時刻を一層正確に表示することができる。なお、時針と補助表示部との両方が直線である場合に限られず、両者のいずれか一方が曲線であって他方が直線であってもよいし、両方ともが曲線であってもよい。面白みのある新規なデザインにより使用者に新たな興趣を与えることができる。
【００１６】
文字盤が平面であり、かつ、時針が、第１根元部近傍における中心軸を回転中心として文字盤上を回転移動することにより相対移動が実現されてもよい。この構成によれば、腕時計、置時計、壁掛け時計等を好適に実現することができる。
【００１７】
文字盤が、所定平面内に画定される閉曲線に沿った方向と、所定平面の法線に沿った方向と、に延びる面上に形成され、時針が、文字盤近傍に配置されて略法線方向に延び、かつ、文字盤が閉曲線に沿った循環回転をすることにより、又は時針が閉曲線に沿った方向に移動することにより前記相対移動が実現されてもよい。
【００１８】
この構成によれば、例えば時針を複数配置することにより、閉曲線に沿って、かつその法線方向に延びる面（以下、閉曲面という。）上に文字盤が形成されている。ここでいう閉曲面は、典型的には円筒外周面であってもよいし、また、複数の回転円筒の外周に架け渡された無端ベルト状部材のベルト面であってもよい。閉曲面が円筒外周面である場合は、閉曲線はもちろん円形状である。また、閉曲面が無端ベルト状部材のベルト面である場合、閉曲線はその無端ベルト状部材の周縁である。
【００１９】
このような、閉曲面上に文字盤を形成することにより、世界時計を好適に実現することができる。すなわち、閉曲面上の複数位置に各々複数地域（国）に対応する複数の時針を配置することにより、シンプルな構造で時間の読み取りやすい世界時計を実現することができる。
【００２０】
特に、特許文献２に開示のものが、別々の指標によって示された時間時刻と分時刻とを別々の位置で読み取らなければならないのに対し、本発明によれば、固定された時針のみで時間時刻と分時刻の両方を正確かつ迅速に読み取ることができる。したがって、複数の位置において複数の時刻を表示する世界時計として、本発明は特に好適である。
【００２１】
なお、この文字盤を閉曲線に沿って循環回転させることにより、本発明に係る時計を実現してもよい。閉曲線に沿った循環回転とは、例えば文字盤が円筒外周面である場合には、その円筒中心軸周りの回転移動である。また、文字盤が、複数の回転円筒に架け渡された無端ベルト状部材のベルト面である場合には、各円筒がその中心軸周りに回転することによる無端ベルト状部材の循環移動である。この循環移動は、換言すれば、ベルトコンベヤ様移動、又はキャタピラ様移動とも言い得る。
【００２２】
また、文字盤が移動するのでなく、時針が文字盤近傍を閉曲線に沿って移動することにより、本発明に係る時計を実現してもよい。この場合、１つの時針は、１２時間又は２４時間で閉曲線に沿って１周してもよい。
【００２３】
なお、時針の延びる方向が略法線方向であることは、例えば法線に沿って平行に延びる場合と法線に対して多少傾斜した状態で法線方向に延びることを含む。例えば、時針が法線に対して平行に延び、文字盤上の補助表示部が法線に対して多少傾斜して延びているか、時針が法線に対し多少傾斜して延び、補助表示部が法線に対して平行に延びているか、又は時針も補助表示部も法線に対して各々異なる傾斜角で多少傾斜して延びている構成によって、本発明を実現することができる。
【００２４】
本発明の更なる課題又はその他の特徴は、以下添付図面を参照して説明される好ましい実施例によって明らかにされるであろう。
【発明の効果】
【００２５】
本発明によれば、分時刻の表示のための構造等を別途構成しなくても、分時刻を正確に表示することができる。また、使用者に新規な興趣を与えることもできる。時計構造をシンプルにすることができるので、コスト低減、部品点数削減、組立工数低減を実現することができる。時計の信頼性向上を図ることもできる。
【図面の簡単な説明】
【００２６】
【図１】本発明の実施の形態１に係る時計の全体構成の概略を示す外観図である。
【図２】図１に示す時計の文字盤を正面から見た正面図である。
【図３】図１に示す時計の文字盤を正面から模式的に示した部分拡大図である。
【図４】図１に示す時針に分時刻目盛りを表示した例を示す図である。
【図５】本発明の変形例１に係る時計の文字盤を正面から見た正面図である。
【図６】＜数１＞に基づいて算出した補助線の曲線形状の例を示す図である。
【図７】本発明の変形例２に係る時計の文字盤を正面から見た正面図である。
【図８】本発明の変形例３に係る時計の文字盤を正面から見た部分拡大図である。
【図９】本発明の変形例４に係る時計の文字盤を正面から見た正面図である。
【図１０】本発明の変形例５に係る時計の文字盤を正面から見た正面図である。
【図１１】本発明の実施の形態２に係る時計の全体構成の概略を示す外観図である。
【図１２】図８に示す文字盤を展開した展開図である。
【図１３】本発明の実施の形態３に係る時計の全体構成の概略を示す外観図である。
【発明を実施するための形態】
【００２７】
［実施の形態１］
以下、本発明の実施の形態１に係る時計について、図面を用いて説明する。図１は、本発明の実施の形態１に係る時計Ｗの全体構成の概略を示す外観図である。この時計Ｗは、壁掛け時計として構成されている。しかしながら、本発明は、腕時計、置時計、目覚まし時計、柱時計等あらゆる指針式時計に適用することができる。
【００２８】
時計Ｗは、筐体２の前面側に透明板４を有しており、その透明板４の内部に文字盤６が配置されている。透明板４は、外部から文字盤６が視認できるようにするためのもので、ガラス、アクリルやポリカーボネート等の透明樹脂、透明フィルム等を適用することができる。
【００２９】
時計Ｗは、文字盤６上に時針８を有しているが、分針を有していない。そして、時計Ｗは、その内部に時針８を回転駆動する駆動手段（不図示）を有している。駆動手段は、時針８が、その根元部（第１根元部）８ａ近傍における中心軸１０を回転中心として、１２時間で１周するように回転駆動するものである。この駆動手段の構成について公知のものを適用することができるので、説明を省略する。
【００３０】
図２は、この文字盤６を正面から見た正面図であり、図３は、模式的に簡略化して時針８を線分で示した部分拡大図である。文字盤６は、大略円形とされた平板状部材の表面に構成されており、その外周に沿って３０°ごとに”１”〜”１２”の数字（時間表示部）Ａが印刷されている。隣接する数字間には、１分間隔に対応する目盛りが刻まれていない。一方、文字盤６には、各数字Ａに各々対応して１２本の補助線（補助表示部）Ｂが印刷されている。この補助線Ｂは、時針８の根元部８ａ近傍に位置する根元部（第２根元部）Ｂａから数字Ａの近傍に位置する先端部（第２先端部）Ｂｂへ向けて長く延びて形成されて、等間隔に配置されている。なお、時間表示部としては、数字Ａの他に、単なる線分表示や何らかのマークの表示を適用することができるし、場合によっては、小さいガラスや宝飾物を配置して時間表示部とすることも考えられる。もちろん、時間表示部は、必ずしも必須の構成でない。補助線Ｂの先端部Ｂｂが時間表示部として機能することもある。
【００３１】
時針８は、この文字盤６上を１２時間かけて１周する指針であって、図示しない駆動手段によって中心軸１０を中心に時計回りに回転駆動されている。時針８は、根元部８ａから先端部（第１先端部）８ｂへと長く延びて構成され、その先端部８ｂは、数字Ａ近傍を循環回転するようになっている。この実施の形態１においては、時針８は、根元部８ａから先端部８ｂに向けて、中心軸１０から放射方向にかつ直線的に延びている。
【００３２】
補助線Ｂは、本実施の形態１においては、根元部Ｂａから先端部Ｂｂに向けて放射状様にかつ直線的に延びている。ここで、例えば、数字Ａ”１”と数字Ａ”２”とを例にとって説明すると、時針８の先端部８ｂ近傍部分と数字Ａ”１”に対応する補助線Ｂの先端部Ｂｂとが交差（交差位置Ｐ１）を終了した直後（次の単位時刻、例えば１分後。）に、時針８の根元部８ａ近傍部分と数字Ａ”２”に対応する補助線Ｂの根元部Ｂａとが交差（交差位置Ｐ２）を開始するように補助線Ｂが形成されている。つまり、補助線Ｂは、放射状様ではあるものの、中心軸１０から数字Ａに向かう放射方向でなく、中心軸１０から少しずれた位置から数字Ａに向かう放射方向に延びている。
【００３３】
その結果、時針８と補助線Ｂとは、常に交差するようになっていて、しかもその交差位置Ｐ２は、時間の経過と共に根元部８ａ側から先端部８ｂ側へと移動するようになっている。そして、交差位置Ｐ２は、１時から２時までの１時間の間に、補助線Ｂの根元部Ｂａから先端部Ｂｂまでの長い距離を移動することとなる。この根元部Ｂａから先端部Ｂｂまでに分時刻目盛りを表示すれば、分針を要することなく時針８のみで正確な分時刻を表示することができる。もちろん、時針８側に分時刻目盛り（補助目盛り）を表示することによって、分時刻を表示してもよい。
【００３４】
例えば、図４は、時針８側に分時刻目盛り８ｃを表示した例である。時針８は、正面視略長方形であって、中央部が打抜き部８ｄとされてその打抜き部８ｄを通して文字盤６及び補助線Ｂが視認できるようになっている。その打抜き部８ｄには分時刻目盛り８ｃが時針８の長手方向に沿って複数（本実施の形態１においては１１個）がハシゴ状に形成されている。図４においては、簡易的に５分ごとの分時刻経過に対応する１１個の分時刻目盛り８ｃ（時針８の先端部８ｂが１２個目の分時刻目盛り８ｃに対応する。）を表示しているが、実際には、１分ごとの分時刻経過に対応する５９個の分時刻目盛り８ｃが時針８に表示されていてもよい。
【００３５】
また、本実施の形態１においては、時針８も補助線Ｂも共に直線であるので、分時刻目盛り８ｃ同士の間隔は、等間隔とはならず、根元部８ａに近い側から先端部８ｂに近い側にかけて、徐々に間隔が広がっている。後述するように、分時刻目盛り８ｃ同士の間隔を等間隔とするためには、時針８又は補助線Ｂのうち少なくともいずれか一方が曲線となっている必要がある。
【００３６】
［変形例１］
図５は、本発明の変形例１に係る時計Ｗ１の文字盤６１を正面から見た正面図である。この図５においても、時針８を模式的に線分で示している。この時計Ｗ１においては、補助線Ｂが時間の経過と共に時針との交点がこの時針８上で等距離変化するように曲線とされており、曲線状の１２本の補助線Ｂが中心軸１０近傍から渦巻状に放射形成されている。
【００３７】
時刻が１時ちょうどのとき、数字Ａ”１”に対応する補助線Ｂの先端部Ｂｂと時針８の先端部８ｂ近傍とが交差位置Ｐ１で交差する。その後時間が経過すると、時針８が数字Ａ”２”に向かって時計方向に回転しつつ、交差位置Ｐ１が先端部８ｂ側から根元部８ａ側へと移動する。
【００３８】
１時５９分になると、数字Ａ”１”に対応する補助線Ｂの根元部Ｂａと時針８の根元部８ａ近傍とが交差するようになっている。そして、２時ちょうどになると、数字Ａ”２”に対応する補助線Ｂの先端部Ｂｂと時針８の先端部８ｂ近傍とが交差位置Ｐ２で交差するようになっている。
【００３９】
この変形例１に係る時計Ｗ１においても、補助線Ｂと時針８との交差位置によって、分時刻を正確に把握することができるようになっている。また、補助線Ｂが曲線的に形成され、今までにない新規な興趣を使用者に与えることができる。
【００４０】
なお、この補助線Ｂの曲線形状を、以下式に基づいて与えることにより、時間の経過と共に時針８との交点が時針８上で等距離変化するように構成することができる。それにより、時針８上に形成する分時刻目盛り８ｃ同士の間隔を等間隔とすることができる。
【００４１】
＜数１＞
ｘ＝（Ｒ＋Ｃｔ）＊ｃｏｓ（ａｔ）
ｙ＝（Ｒ＋Ｃｔ）＊ｓｉｎ（ａｔ）
ただし、Ｒ：交点の最内半径
Ｃ：単位時間当たりの交点の半径方向移動距離
ａ：単位時間当たりの交点の回転角
ｔ：時間
ｘ：中心軸１０を原点とした場合の横方向（３時方向）座標
ｙ：中心軸１０を原点とした場合の縦方向（１２時方向）座標
【００４２】
例えば、本実施の形態１においては、交点の最内半径Ｒは、根元部Ｂａの中心軸１０からの半径方向距離である。また、単位時間当たりの交点の半径方向移動距離Ｃは、時針８の根元部８ａから先端部８ｂまでの距離に大略相当し、補助線Ｂの根元部Ｂａから先端部Ｂｂまでの半径方向距離に大略相当する。本実施の形態１においては、１２時間で時針８が１周する時計Ｗであるので、単位時間を１分とすると、単位時間当たりの交点の回転角ａは３６０°／（１２＊６０）＝０．５°である。
【００４３】
例えば、直径約３００ｍｍの壁掛け時計を想定した場合において、Ｒ＝３０ｍｍとすると、Ｃ＝｛（３００／２）−３０｝／６０＝２ｍｍとなり、数字Ａ”２”に対応する補助線Ｂの形状は、図６に示すようになる。この図６に示す補助線Ｂの形状を原点を中心として３０°ずつ回転させると、他の数字Ａに対応する補助線Ｂを形成することができる。なお、このとき単位時間当たりの交点の半径方向移動距離Ｃが２ｍｍであるので、時針８上に形成される分時刻目盛り８ｃ同士の間隔は２ｍｍ間隔となる。なお、補助線Ｂの曲線形状は上記＜数１＞に基づいて算出された曲線形状の凸方向の向きを逆にしても本発明を適用することができる。この場合は、上記＜数１＞において
【００４４】
＜数２＞
ｘ＝（Ｒ＋Ｃｔ）＊ｃｏｓ（ａｔ）
ｙ＝−（Ｒ＋Ｃｔ）＊ｓｉｎ（ａｔ）
のように、ｙの符号を逆にすればよい。
【００４５】
［変形例２］
図７は、本発明の変形例２に係る時計Ｗ２の文字盤６２を正面から見た正面図である。この図７においても、時針８を模式的に線分で示している。この時計Ｗ２においては、時針８が根元部８ａから先端部８ｂにかけて時間の経過と共に補助線との交点がこの補助線上で等距離変化するように曲線状とされており、補助線Ｂは根元部Ｂａから先端部Ｂｂにかけて直線状とされている。その他の構成については、変形例１と同様であるので、説明を省略する。この変形例２に係る時計Ｗ２においても、時針８と補助線Ｂとの交差により分時刻を正確に把握することができる。また、時間の経過による時針８の回転移動により、補助線Ｂとの交差位置が先端部８ｂ側から根元部８ａ側へと移動するようになっている。
【００４６】
なお、この変形例２においては、時針８の曲線形状が上記＜数１＞又は＜数２＞に基づいて算出された形状とされている。
【００４７】
［変形例３］
図８は、本発明の変形例３に係る時計Ｗ３の文字盤６３を正面から見た部分拡大図である。この図８においても、時針８を模式的に線分で示している。この時計Ｗ３においては、１２本の曲線的な補助線Ｂが中心軸１０近傍から渦巻状に放射形成されている点については変形例１に係る時計Ｗ１と同様であるが、補助線Ｂが連続的な線分でなく時間的に等間隔に並んで配置された複数のドットｄの配列で形成されている。なお、ドットの一部は、一点鎖線により省略して示している。
【００４８】
つまり、上記変形例１においては、時針８上に分時刻に対応する分時刻目盛り８ｃが等間隔で配置されているが、この変形例２においては、分時刻目盛りに相当するドットｄが全体として補助線Ｂを構成している。このドットｄの形状は、上記＜数１＞又は＜数２＞に基づいて算出され、ドットｄ同士の間隔は、”隣接するドットｄ同士の中心軸１０からの半径方向距離ｄｐが等間隔”とされている。また、それは、”隣接するドットｄと中心軸１０とを各々結ぶ直線同士の中心軸１０における交差角ｄａが等角度”であることと等しい。なお、これは、上記変形例２における時針８上に分時刻目盛り８ｃを形成する場合にも、適用可能な思想である。
【００４９】
ドットｄと時針８との交差によって分時刻を表示するので、連続曲線の補助線と直線の時針８との交差による場合よりも一層視認性が向上し、分時刻の把握が容易となる。また、１つの補助線Ｂにおけるドットｄの数を、１分間隔に対応するように６０個とすれば、分時刻の把握がより簡単になる。その他の構成については、変形例１と同様であるので、説明を省略する。
【００５０】
［変形例４］
図９は、本発明の変形例４に係る時計Ｗ４の文字盤６４を正面から見た正面図である。この図９においても、時針８を模式的に線分で示している。この時計Ｗ４においては、補助線Ｂが根元部８ａ近傍にまで延びておらず、時針８の根元部８ａと先端部８ｂとの中間よりもやや根元部８ａ側に位置する折返し点Ｂｄで折り返している。そして、数字Ａ”１”に対応する補助線Ｂは、先端部Ｂｂから折返し点Ｂｄで折り返して数字Ａ”２”に対応する補助線Ｂの先端部Ｂｂへと繋がっている。
【００５１】
この変形例４に係る時計Ｗ４においても、時針８と補助線Ｂとの交差により分時刻を正確に把握することができる。また、時間の経過による時針８の回転移動により、補助線Ｂとの交差位置が先端部８ｂ側から根元部８ａ側又は根元部８ａ側から先端部８ｂ側へと移動するようになっている。
【００５２】
なお、この変形例４においても、補助線Ｂの曲線形状が上記＜数１＞又は＜数２＞に基づいて算出された形状とされている。すなわち、＜数１＞で算出された曲線形状と＜数２＞で算出された曲線形状とを折返し点Ｂｄで接続することにより、この変形例４に係る補助線Ｂが構成されている。
【００５３】
［変形例５］
図１０は、本発明の変形例５に係る時計Ｗ５の文字盤６５を正面から見た正面図である。この時計Ｗ５は、複数の地域（国）における時刻を同時に表示することのできる世界時計として構成されている。この時計Ｗ５においては、文字盤６５が中心軸１０を中心として図中Ｘ方向に２４時間で１周回転するようになっている。文字盤６５には２４本の補助線Ｂが形成され、対応するように８個の数字Ａが”３”，”６”
，”９” ，”１２” ，”１５” ，”１８” ，”２１” ，”２４”のように３時間分ごとに形成されている。
【００５４】
文字盤６５が中心軸１０を中心として回転する一方、時針８は回転せず固定されている。この時計Ｗ５では、複数の時針８が各地域に対応するように配置され、例えば、時針８１が東京の時刻、時針８２がストックホルムの時刻、時針８３がニューヨークの時刻を表示するようになっている。
【００５５】
なお、この変形例５に係る補助線Ｂは、上記＜数２＞に基づいて算出されている。この場合において、文字盤６５が２４時間で１周するので、単位時間（１分）当たりの交点の回転角ａ＝３６０°／（２４＊６０）＝０．２５°となる。
【００５６】
［変形例６］
上記変形例１〜５においては、時間の経過と共に補助線と時針との交点が等距離変化する（交点の中心軸１０からの半径方向距離が、時間の経過と共に等速度で増大／減少する。）。しかしながら、下記＜数３＞に基づいて、補助線Ｂと時針８との交差角αが一定となるように、補助線Ｂ又は時針８の曲線形状を決定することもできる。
【００５７】
＜数３＞
ｒ＝ｋ＊ｅｂθ
α＝ａｒｃｃｏｔ（ｂ）
ただし、
ｒ：回転中心からの距離
ｋ：正の定数
なお、ここで、極座標値（ｒ，θ）をｘｙ座標値に変換するには、
ｘ＝ｒ＊ｃｏｓθ
ｙ＝ｒ＊ｓｉｎθ
となる。ここでｘ座標、ｙ座標は、上記で説明したのと同様に、
ｘ：中心軸１０を原点とした場合の横方向（３時方向）座標
ｙ：中心軸１０を原点とした場合の縦方向（１２時方向）座標
である。
【００５８】
この＜数３＞に基づき補助線Ｂ又は時針８の曲線形状を算出することにより、常に、補助線Ｂと時針８との交差角が一定となるように時計を構成することができ、分時刻の読み取り易さに寄与する。なお、上記＜数１＞又は＜数２＞で算出された曲線形状を用いるか、＜数３＞で算出された曲線形状を用いるかは、適宜選択可能である。曲線形状によって、先端部Ｂｂ近傍での読み取り易さや根元部Ｂａ近傍での読み取り易さが異なり、また、定数の設定値によっても読み取り易さが変わってしまう場合がある。特に、＜数３＞で算出した曲線形状は、先端部Ｂｂ近傍における視認性が高く、上記変形例４のように、補助線Ｂが先端部Ｂｂ折返し点Ｂｄで折り返す構成には一層適している。
【００５９】
［実施の形態２］
図１１は、本発明の実施の形態２に係る時計Ｗ６の全体構成の概略を示す外観図である。時計Ｗ６は、所定平面Ｈ内に画定される円形状の周縁（閉曲線）１３に沿った方向と、中心軸（所定平面Ｈの法線）１４に沿った方向とに延びる文字盤６６を有している。換言すると、文字盤６６は、円筒形状部材１１の側面（円筒側面、閉曲面）１２に形成されている。図１２は、この文字盤６６を展開した展開図である。
【００６０】
文字盤６６上の周縁１３近傍には、”１”〜”２４”までの２４個の数字Ａが等間隔に周状に配置されている。そして、各数字Ａに対応して補助線Ｂが形成されている。補助線Ｂは、側面１２の高さ方向に沿って傾斜し、かつ図１２の展開図上では直線状に反対側の周縁に向けて延びている。すなわち、数字Ａ”５”に対応する補助線Ｂの先端部Ｂｂは数字Ａ”５”の直下にあるが、その根元部Ｂａは数字Ａ”６”の鉛直下方にある。そして、数字Ａ”６”に対応する補助線Ｂの先端部Ｂｂは数字Ａ”６”の直下にあるが、その根元部Ｂａは数字Ａ”７”の鉛直下方にある。
【００６１】
円筒形状部材１１は、その中心軸１４を中心として２４時間で１周回転するようになっている。一方、時針８は長手方向に分時刻目盛り８ｃが刻まれており、側面１２の中心軸１４と平行に（すなわち、鉛直方向に）延びて配置され、回転しないように固定されている。固定された時針８に対して文字盤６が回転することにより、両者の相対移動及び数字Ａの循環が実現されている。
【００６２】
鉛直方向に配置された時針８と斜めに配置された補助線Ｂとが交差する交差位置Ｐは、時間の経過と共に根元部８ａと先端部８ｂとの間を上下に大きく移動するようになっている。そしてその交差位置Ｐの位置によって、分時刻を正確に把握することができるようになっている。
【００６３】
この時計Ｗ６において、時針８を異なる位置に複数配置すれば、各々が異なる時刻を表示する世界時計を実現することができる。例えば、図１２に示すように、時針８４がロンドンの時刻、時針８５がシカゴの時刻を同時に表示するように構成することができる。
【００６４】
時間時刻と分時刻とが１つの指針８によって表示されるので、異なる位置に視点を大きく移動することなく、分単位の正確な時刻を即座に把握することができる。特に、世界時計では、世界の複数の地域における複数の時刻が表示され、時刻の把握に時間がかかりがちであるが、本発明を適用することにより、迅速な時刻把握が可能となる。なお時針８上に分時刻目盛りを設ける代わりに、補助線Ｂ上に分時刻目盛りを設けてもよい。
【００６５】
また、この実施の形態２においては、文字盤６６が回転する場合について説明したが、文字盤６６が固定されていて、文字盤６６の周囲近傍を時針８４，８５が相互の間隔を維持しながら円周回転をするように構成されていてもよい。なお、本実施の形態２においては、中心軸１４が鉛直方向である例について説明しているが、それに限られず、時計Ｗ６の構造やデザイン性等に応じて、中心軸１４は斜めでも水平でもよい。
【００６６】
［実施の形態３］
図１３は、本発明の実施の形態３に係る時計Ｗ７の全体構成の概略を示す外観図である。時計Ｗ７においては、２つのローラー部材１５に無端ベルト状部材１６が架け渡されていて、その周縁１７が２つの半円と２つの直線とで構成される閉曲線を構成している。そして、この周縁１７から中心軸１４方向に延びる外面に文字盤６７が構成されている。
【００６７】
文字盤６７は、上記実施の形態２と同様に２４時間で１周回転し、周縁１７近傍に２４個の数字Ａが表示されている。各数字Ａからは、中心軸１４に平行に２４本の補助線Ｂが反対側の周縁に向けて延びている。この実施の形態３においては、補助線Ｂが中心軸１４に平行であり、文字盤６７近傍に配置される時針８が傾斜して配置されている。
【００６８】
時針８と補助線Ｂとは斜めに交差してその交点が時間の経過と共に中心軸１４方向に移動する。補助線Ｂの根元部Ｂａと時針８の根元部８ａが交差した次の単位時刻（例えば１分後）には隣接する補助線Ｂの先端部Ｂｂと時針８の先端部８ｂとが交差するようになっている。
【００６９】
以上、本発明の好ましい実施の形態を説明したが、本発明はこれらに限定されるものではなく、その要旨の範囲内で様々な変形や変更が可能である。例えば、上記実施の形態１及び変形例２，３において、時針も補助線も直線である場合、時針が直線で補助線が曲線である場合、時針が曲線で補助線が直線である場合について説明したが、もちろん、時針も補助線も共に曲線で構成されていても本発明を実現することができる。この場合は、一般的には時針の曲線の向き（凸方向の向き）と補助線の曲線の向き（凸方向の向き）とが逆方向となるように、双方の曲線を形成することが望ましい。
【００７０】
また、上記実施の形態２においては、２つのローラー部材１５に無端ベルト状部材１６が架け渡されて文字盤６７が構成される例について説明したが、ローラー部材１５の数は２つに限られず、１又は複数のいずれでもよい。複数のローラー部材の径が同一である必要もない。
【符号の説明】
【００７１】
Ａ：数字（時間表示部）
Ｂ：補助線（補助表示部）
Ｂａ：根元部（第２根元部）
Ｂｂ：先端部（第２先端部）
Ｂｄ：折返し点
ｄ：ドット
ｄａ：交差角
ｄｐ：半径方向距離
Ｈ：所定平面
Ｐ，Ｐ１，Ｐ２：交差位置
Ｗ，Ｗ１〜Ｗ７：時計
２：筐体
４：透明板
６，６１〜６７：文字盤
８，８１〜８５：時針
８ａ：根元部（第１根元部）
８ｂ：先端部（第１先端部）
８ｃ：分時刻目盛り
８ｄ：打抜き部
１０，１４：中心軸
１１：円筒形状部材
１２：側面（円筒側面、閉曲面）
１３，１７：周縁（閉曲線）
１５：ローラー部材
１６：無端ベルト状部材
【図１】
2011191280.tif 000003
【図２】
2011191280.tif 000004
【図３】
2011191280.tif 000005
【図４】
2011191280.tif 000006
【図５】
2011191280.tif 000007
【図６】
2011191280.tif 000008
【図７】
2011191280.tif 000009
【図８】
2011191280.tif 000010
【図９】
2011191280.tif 000011
【図１０】
2011191280.tif 000012
【図１１】
2011191280.tif 000013
【図１２】
2011191280.tif 000014
【図１３】
2011191280.tif 000015